(57)【要約】【課題】  屋外側からドア本体が強制的に持ち上げられて外されてしまうことを防止しながら、ガイド溝にゴミ等が溜まってしまった場合等において、屋内側からドア本体を持ち上げて外すことができるようにされた、ドア装置に設けられるガイド機構を提供する。【解決手段】  ガイド溝４０の屋内側の内側面４０ｂには、ガイド溝の屋外側の内側面４０ｃに向かって突出する段部４４が設けられ、ガイド部材５０には、ドア本体が前記屋内側Ｅ１に向かって押されながら持ち上げられた場合に、段部４４の下方の屋内側の内側面４０ｂに当接しながら段部４４の下部４４ｃに係止される、段部４４の下方に向かって突出して構成された係止突出部５５が設けられている。また、ガイド部材本体５１とガイド片５２との間には、ドア本体の厚さ方向Eに縮退可能な樹脂部材５７が介装されている。【選択図】  図４
2006336417.tif 000002
【特許請求の範囲】
【請求項１】
屋内と屋外とを隔てるドア本体の下方に設けられ該ドア本体のスライド移動を案内するガイド機構であって、
前記ドア本体の下方であって前記ドア本体のスライド移動方向に延びるガイド溝と、前記ドア本体の下部から下方に突出し前記ガイド溝内に遊びを有した状態で嵌め込まれるガイド部材とを有し、
前記ガイド溝の前記屋内側の内側面には、前記ガイド溝の前記屋外側の内側面に向かって突出する段部が設けられ、
前記ガイド部材には、前記ドア本体が前記屋内側に向かって押されながら持ち上げられた場合に前記段部に係止される、前記段部に向かって突出して構成された係止突出部が設けられていることを特徴とするガイド機構。
【請求項２】
前記係止突出部は、前記ドア本体が前記屋内側に向かって押されながら持ち上げられた場合に、前記段部の下方の前記屋内側の内側面に当接しながら前記段部の下部に係止されるように、前記ガイド部材から前記段部の下方に向かって突出して構成されていることを特徴とする請求項１に記載のガイド機構。
【請求項３】
前記ガイド部材が、前記係止突出部が設けられ且つ前記ドア本体の下部に取り付けられた、前記ガイド溝の前記屋外側の内側面と対向する第１案内部を有するガイド部材本体と、
前記ドア本体の厚さ方向に縮退可能な樹脂部材を介して前記ガイド部材本体に設けられた、前記ガイド溝の前記屋内側の内側面と対向する第２案内部を有するガイド片とを有することを特徴とする請求項１または請求項２に記載のガイド機構。
【請求項４】
前記段部が、前記ガイド溝の深さ方向に複数設けられていることを特徴とする請求項１から請求項３のうち何れか一項に記載のガイド機構。
【発明の詳細な説明】
【技術分野】
【０００１】
この発明は、ドア装置に設けられるドア本体のスライド移動を案内するガイド機構に関し、特に、ドア本体が屋外側から強制的に持ち上げられて外されてしまうことが防止されたガイド機構に関する。
【背景技術】
【０００２】
従来から、例えば、スライド移動可能にされたドア本体を有してなるドア装置が提供されている。この種のドア装置は、一般に、ドア本体の上方に、そのドア本体をスライド移動させる駆動機構が設けられると共に、ドア本体の下方に、そのドア本体のスライド移動を案内するガイド機構が設けられている。このガイド機構にあっては、このドア本体のスライド移動方向に延びるガイド溝と、そのガイド溝に遊びを有した状態で嵌め込まれるようにドア本体の下部から下方に突出して設けられるガイド部材とから構成されている。なお、この種のドア装置は、ドア本体が屋内と屋外とを隔てるように建物の出入口に設けられたものとなっており、その店舗等の営業が終了した場合に、防犯目的に、ドア本体がスライド移動しないように施錠される。
【０００３】
一方、近年においては、このようなドア装置のドア本体の下部とガイド溝との隙間にバール等の工具を差し込み、その工具によってドア本体を持ち上げてドア本体を外し、不法に店舗等の建物内に侵入する犯罪が多発している。このような犯罪に対し、従来のドア装置では、ガイド機構を次のように構成して対策していた。すなわち、ガイド溝の開口端の幅を、ガイド溝に嵌め込まれるガイド部材の幅よりも狭く構成し、このガイド溝からガイド部材が抜け出てしまうことを防いでいた（特許文献１参照）。ガイド機構をこのように構成した場合、ドア本体が強制的に持ち上げられても、ガイド部材がガイド溝から抜けてしまうことが防止されて、ドア本体が外されてしまわない。
【特許文献１】特開昭５４−７５８３４号公報（特に図１１〜１３）
【発明の開示】
【発明が解決しようとする課題】
【０００４】
ところで、この種のドア装置にあっては、ガイド溝にゴミ等が溜まってしまった場合等に、ドア本体を外したい場合がある。ここで、上述したように構成されるドア装置にあっては、ドア本体が外れないようにガイド機構が構成されているので、ドア本体を外したい場合やドア本体の取り付け時等においても、容易に取り付けたり外したりすることができないものとなっていた。
【０００５】
この発明は、このような事情に鑑みなされたものであって、その目的は、ドア本体のスライド移動を案内するガイド機構であって、屋外側からドア本体が強制的に持ち上げられて外されてしまうことを防止しながら、さらに、ガイド溝にゴミ等が溜まってしまった場合やドア本体の取り付け時等において、屋内側からドア本体を持ち上げて外すことができるようにされたドア装置に設けられるガイド機構を提供することにある。
【課題を解決するための手段】
【０００６】
上述した課題を解決するために、この発明は、以下の手段のガイド機構を提供する。
すなわち、請求項１に係る発明は、屋内と屋外とを隔てるドア本体の下方に設けられ該ドア本体のスライド移動を案内するガイド機構であって、前記ドア本体の下方であって前記ドア本体のスライド移動方向に延びるガイド溝と、前記ドア本体の下部から下方に突出し前記ガイド溝内に遊びを有した状態で嵌め込まれるガイド部材とを有し、前記ガイド溝の前記屋内側の内側面には、前記ガイド溝の前記屋外側の内側面に向かって突出する段部が設けられ、前記ガイド部材には、前記ドア本体が前記屋内側に向かって押されながら持ち上げられた場合に前記段部に係止される、前記段部に向かって突出して構成された係止突出部が設けられていることを特徴とする。
【０００７】
請求項１に係るガイド機構にあっては、屋外側からドア本体の下部とガイド溝との隙間にバール等の工具を差し込んでドア本体を外そうとした場合に、このドア本体は、屋内側に向かって押されて僅かに移動して持ち上げられることとなる。この際、このドア本体の屋内側に向かった僅かな移動に伴って、このドア本体の下部に設けられたガイド部材も屋内側に僅かに移動する。そうすると、ガイド溝の屋内側の内側面に設けられた、屋外側の内側面に向かって突出する段部に、ガイド部材に設けられた段部に向かって突出する係止突出部が係止する。つまり、ガイド部材（係止突出部）が段部に係止することによって、ドア本体の上方への移動は規制される。従って、ドア本体を持ち上げようとしても、ガイド部材が段部に係止されることによる上方への移動の規制によりドア本体を外すことができないものとなる。
【０００８】
一方、上述の請求項１に係るガイド機構にあっては、屋内側からドア本体を外そうとした場合に、このドア本体は、屋外側に向かって押されて僅かに移動して持ち上げられることとなる。この際、このドア本体の屋外側に向かった僅かな移動に伴って、このドア本体の下部に設けられたガイド部材も、屋外側に僅かに移動することとなる。ここで、ガイド溝の屋外側の内側面には、上述した屋内側の内側面と異なり段部が設けられていないので、ドア本体の上方への移動は規制されることなく、ドア本体を容易に持ち上げることができる。つまり、ガイド溝からガイド部材を外部に露出させるまで持ち上げることができて、ドア本体を取り外すことができる。
【０００９】
請求項２に係る発明は、請求項１に記載のガイド機構において、前記係止突出部は、前記ドア本体が前記屋内側に向かって押されながら持ち上げられた場合に、前記段部の下方の前記屋内側の内側面に当接しながら前記段部の下部に係止されるように、前記ガイド部材から前記段部の下方に向かって突出して構成されていることを特徴とする。
【００１０】
請求項２に係るガイド機構にあっては、屋外側からドア本体の下部とガイド溝との隙間にバール等の工具を差し込んでドア本体を外そうとした場合に、このドア本体は、屋内側に向かって押されて僅かに移動して持ち上げられることとなる。この際、このドア本体の屋内側に向かった僅かな移動に伴って、このドア本体の下部に設けられたガイド部材も、屋内側に僅かに移動することとなる。そうすると、ガイド部材に設けられた係止突出部は、段部の下方の屋内側の内側面に当接すると共に、持ち上げられようとする際に段部の下部に係止する。つまり、ガイド部材（係止突出部）が段部に係止することによって、ドア本体の上方への移動は規制される。従って、ドア本体を持ち上げようとしても、ガイド部材が段部に係止されることによる上方への移動の規制によりドア本体を外すことができないものとなる。なお、屋内側からドア本体を外そうとした場合には、上述したように、ドア本体の上方への移動を規制する係止が存在しないので、ドア本体を容易に持ち上げることができる。つまり、ガイド溝からガイド部材を外部に露出させるまで持ち上げることができて、ドア本体を取り外すことができる。
【００１１】
請求項３に係る発明は、請求項１または請求項２に記載のガイド機構において、前記ガイド部材が、前記係止突出部が設けられ且つ前記ドア本体の下部に取り付けられた、前記ガイド溝の前記屋外側の内側面と対向する第１案内部を有するガイド部材本体と、前記ドア本体の厚さ方向に縮退可能な樹脂部材を介して前記ガイド部材本体に設けられた、前記ガイド溝の前記屋内側の内側面と対向する第２案内部を有するガイド片とを有することを特徴とする。
【００１２】
請求項３に係るガイド機構にあっては、ガイド部材が、係止突出部が設けられ且つ前記ドア本体の下部に取り付けられたガイド部材本体と、ガイド部材本体に設けられたガイド片とから構成される。なお、ガイド部材本体にあってはガイド溝の屋外側の内側面と対向する第１案内部を有し、ガイド片にあってはガイド溝の屋内側の内側面と対向する第２案内部を有する。ここで、ガイド片は、ガイド部材本体に設けられるにあたって、ガイド片とガイド部材本体との間に、ドア本体の厚さ方向に縮退可能な樹脂部材が介装されたものとなっている。なお、ドア本体の厚さ方向とは、バール等の工具を差し込んでドア本体を外そうした際に、ドア本体が押される方向と一致する方向である。また、縮退可能な樹脂部材は、縮退可能であれば何ら限定されるものではないが、弾性を有するゴム樹脂等であれば、変形した場合であっても直ぐに復元できる点で特に好ましいものとされる。
【００１３】
これによって、ドア本体の下部に設けられたガイド部材が屋内側に僅かに移動して、ガイド片の第２案内部がガイド溝の屋内側の内側面と当接した場合、このガイド片とガイド部材本体との間に介装された樹脂部材は縮退するものとなる。そうすると、ガイド溝の屋内側の内側面に設けられた、屋外側の内側面に向かって突出する段部に、係止突出部が好ましく係止する。従って、上述したように、このガイド部材（係止突出部）が段部に係止することによって、ドア本体の上方への移動は規制される。従って、ドア本体を持ち上げようとしても、ガイド部材が段部に係止されることによる上方への移動の規制によりドア本体を外すことができないものとなる。
【００１４】
さらに、ガイド部材本体とガイド片との間には、縮退可能な樹脂部材が介装されたものとなっているので、第１案内部と第２案内部とは、この縮退部材によって適宜の幅が維持される。つまり、通常においては、ガイド部材は、第１案内部と第２案内部とが、それぞれに対向するガイド溝の内側面にぶつかることによって、ドア本体の厚さ方向の揺れを規制するものとなっている。これによって、ドア本体のスライド移動は、厚さ方向の揺れが防止された安定的なものとなる。
【００１５】
請求項４に係る発明は、請求項１から請求項３のうち何れか一項に記載のガイド機構において、前記段部が、前記ガイド溝の深さ方向に複数設けられていることを特徴とする。
【００１６】
請求項４に係るガイド機構にあっては、上述した係止突出部を係止させる段部が、ガイド溝内の屋内側の内側面のうち、ガイド溝の深さ方向に複数設けられているので、この係止突出部が係止されていた一の段部との係止が外れたとしても、他の段部に係止されるものとなって、より確実にドア本体の上方への移動を規制する。従って、ドア本体を持ち上げようとしても、ガイド部材と段部との係止がより確実なものとなってドア本体を外すことができないものとなる。
【発明の効果】
【００１７】
この発明に係るガイド機構を採用してドア装置を構成した場合には、屋外側から強制的にドア本体が外されるのを防止したものとなっているので、このドア装置が設置される建物内に不法に侵入する犯罪を防止することに貢献し、さらには、ガイド溝にゴミ等が溜まってしまった場合やドア本体の取り付け時等において、屋内側からドア本体を持ち上げて外すことができる。
【発明を実施するための最良の形態】
【００１８】
以下、この発明に係るガイド機構を備えたドア装置の最良の実施形態について、図面を参照しながら説明する。
図１は、屋外から見た、この発明のガイド機構が設けられたドア装置の正面図であって、駆動機構の外蓋が外されている図である。図１に示す符号１は、この発明に係るガイド機構１０を備えた、建物Ｂの出入口に設置されるドア装置である。このドア装置１は、スライド移動可能であって建物Bの屋内と屋外とを隔てるドア本体３０と、このドア本体３０の上方の建物Ｂの壁部Ｂ１に取り付けられる駆動機構２０と、このドア本体３０の下方に設けられるガイド機構１０とから大略構成される。そして、このドア本体２０がスライド移動することによって、この建物Ｂの出入口は開閉される。なお、ドア本体３０に隣接する（図中の右方）位置には、フィックス板２８が設けられ、符号２９はドア装置１の枠体を示している。なお、建物Ｂ内側が屋内側（E１）とされ、建物Ｂ外側が屋外側（E２）とされる。
【００１９】
また、駆動機構２０は、図２の拡大正面図にも示すように、この建物Ｂの壁部Ｂ１に固定して取り付けられるベース２１と、このベース２１の下部にドア本体３０のスライド移動の範囲に及んで延びる懸架レール２２と、このベース２１の一端近傍に設けられる駆動プーリ２３と、このベース２１の他端近傍に設けられる従動プーリ２４とを備える。また、駆動プーリ２３と従動プーリ２４とにはタイミングベルトＴが巻回されており、駆動プーリ２３に内蔵される駆動モータの駆動力によって、そのタイミングベルトＴは移動するものとなっている。
【００２０】
さらに、このタイミングベルトＴには、ドア本体３０の上部と連結された懸架車２５が連結されている。この懸架車２５は、前記懸架レール２２上に設けられた適宜の車輪２５ａによって、ドア本体３０を懸架しながら移動可能になっている。つまり、懸架車２５は駆動プーリ２３によって移動されたタイミングベルトＴに伴って移動する。そして、ドア本体３０は、その懸架レール２２上の懸架車２５の移動によってスライド移動するものとなっている。また、図中の符号２６は、車輪２６ａを備えて懸架レール２２上を移動する補助懸架車を示す。この補助懸架車２６は、懸架車２５とは異なり、タイミングベルトＴには連結されていないが、ドア本体３０の上部とは連結されたものとなっており、ドア本体３０を安定的にスライド移動させるものとなっている。
【００２１】
一方、この駆動プーリ２３は、図示されない制御装置に接続されたものとなっている。その制御装置は、適宜に設けられた検出器の検出にしたがって、駆動プーリ２３の駆動を制御する。ここで、ドア本体３０は、懸架車２５及び補助懸架車２６によって懸架されている。これによって、ドア本体３０は、下部が接地されていない、浮いた状態（フロート状態）で、ドア本体３０をスライド移動させるようになっている。なお、この『ドア本体３０のスライド移動方向（以下、単にスライド移動方向）』とは、図中の符号Ｄで示すように、図１において左右方向となっている。つまり、このドア装置１によって、建物Bの出入口は、ドア本体３０が開スライド移動方向Ｄ１に移動した場合に開いたものとなり、ドア本体３０が閉スライド移動方向Ｄ２に移動した場合に出入口が閉まったものとなるようにされてある。
【００２２】
次に、この自動ドア装置１のドア本体３０の下部に設けられるガイド機構について、図１のＸ−Ｘ断面（ドア本体３０の厚さ方向の断面）矢視を示す図３、そしてこのガイド機構の六面図とされる図４及び図５を参照しながら説明する。このガイド機構１０は、ドア本体３０の下方に配置されたものであって、ドア本体３０の下方に位置するガイド溝４０と、前記ドア本体３０の下部３０ａから下方に突出するように設けられるガイド部材５０とから大略構成され、ドア本体３０のスライド移動を案内する機能を有する。なお、この『ドア本体３０の厚さ方向（以下、単に厚さ方向）』とは、図中の符号Ｅで示すように、ドア本体３０自体の厚さの方向であり、図１及び図２において示すスライド移動方向Ｄに対して直交する方向とも一致する。また、符号E１が建物B内とされる屋内側の向きを意味し、符号E２が建物B外とされる屋外側の向きを意味している。
【００２３】
ガイド溝４０は、図３に示すように、ドア本体３０の下方であってドア本体３０のスライド移動方向Ｄに延びて設けられている。このガイド溝４０は、図３〜図５に示すように、フロアＦ面を予め略凹状に刳り抜かれた刳り貫き溝４１に、材がステンレスとされ適宜の箇所が折り曲げられて形成されたカバー体４２が設置されてなるものである。このガイド溝４０は、図示されているように、上方が開口されてなるものであって、屋内側（E１）の内側面４０ｂと、屋外側（E２）の内側面４０ｃと、内底面４０ｄとによって、溝状に上方が開口されてなるものであり、その溝内４０ａには、この溝内４０ａに設置される段部材４３によって、段部４４が設けられたものとなっている。
【００２４】
図４（ａ）は、図１中のＸ−Ｘ断面矢視の拡大図を示し、図４（ｂ）は、図４（ａ）とは逆の方向から見た断面拡大図である。段部材４３は、図４（ａ）及び図４（ｂ）に示すように、ガイド溝内４０ａの屋内側の内側面４０ｂと内底面４０ｄとに接するように、スライド移動方向Ｄから見た場合に略Ｌ字状であって、ドア本体３０のスライド移動方向Ｄに適宜の長さに延びて形成されたものとなっている。この段部材４３は、適宜のネジ部材によって、このガイド溝内４０ａの内底面４０ｄに固定されている。この段部材４３のうち、屋内側の内側面４０ｂに接する箇所にあっては、屋外側の内側面４０ｃに向かって突出する２つの段部４４（４４ａ，４４ｂ）が設けられている。また、これらの段部４４ａ，４４ｂは、互いに適宜の間隔が設けられてなるものであって、ドア本体３０のスライド移動方向Ｄに平行に延びた内底面４０ｄと平行に設けられたものとなっている。この段部４４は、後に説明するガイド部材５０の係止突出板部５５（詳しくは先端５５ａ）が係止する箇所となっており、その係止突出板部５５の先端５５ａが好ましく係止可能な幅で形成されたものとなっている。
【００２５】
なお、上述した２つの段部４４（４４ａ，４４ｂ）は、ガイド溝４０を構成するカバー体４２に設置することによって設けられるように構成したが、このような段部材によるものに限定されることなく、適宜に構成されるものであればよい。例えば、上述した段部４４を、カバー体４２に直接的に設けても何ら問題のないものとされる。さらに、段部４４（４４ａ，４４ｂ）は、このガイド溝内４０ａの屋内側の内側面４０ｂの高さ方向に適宜の間隔を空けて２つ設けられてなるものとしたが、これに限定されることなく、１つや３つ等の適宜の数で構成されるものであっても何ら問題のないものとされる。
【００２６】
また、上述の段部４４は、段部材４３を、ガイド溝４０を構成するカバー体４２に設置することによって構成した場合には、既存のガイド溝４０に段部材４３を設置することによって設けることができるので、既存の設置されたカバー体を外すことなく設置することができて、生産コストや設置利便の点からも有利なものとされる。なお、この段部材４３がガイド溝内４０ａに設置された場合にあっては、このガイド溝４０の屋内側の内側面４０ｂは、この段部材４３の屋内側の内側面が担うこととなる。
【００２７】
次に、このガイド溝内４０ａに遊びを有した状態で嵌め込まれる、ドア本体３０の下部３０ａから下方に突出するように設けられたガイド部材５０について説明する。なお、図５（ａ）はガイド機構の上面図、図５（ｂ）は屋外から屋内に向いて見たガイド機構の側面図、図５（ｃ）は屋内から屋外に向いて見たガイド機構の側面図、図５（ｄ）はガイド機構の裏面図である。ガイド部材５０は、係止突出板部５５が設けられてドア本体３０の下部３０ａに適宜のネジ部材によって螺着されるガイド部材本体５１と、そのガイド部材本体５１に樹脂部材５７を介して設けられるガイド片５２とから大略構成される。
【００２８】
ガイド部材本体５１は、図４に示すように、断面が略コ字状に屋内側（E１）に向かって開口されて構成されるものであって、具体的には、前記ドア本体３０の下部３０ａに取り付けられる取付板部５３と、この取付板部５３の縁部から鉛直下向きに延びてなる第１案内板部５４と、この第１案内板部５４の下端から屋内側（E１）に向かって突出する係止突出板部５５とから構成される。このように構成されたガイド部材本体５１は、その取付板部５４を適宜のネジ部材によってドア本体３０の下部３０ａに螺着されることによって、ドア本体３０に取り付けられたものとなっている。
【００２９】
第１案内板部５４のうち、前記ガイド溝４０の屋外側の内側面４０ｃと対向する第１外側面５４ｂが、この発明における第１案内部に相当し、前記ガイド溝４０の屋外側の内側面４０ｃとは平行に構成されている。また、この第１案内板部５４の略中央には、貫通孔５４ａが設けられている。この貫通孔５４ａは、ガイド片５２に設けられたガイド片支持部５２ａを挿通する箇所である。また、この第１案内板部５４の下端に設けられる係止突出板部５５は、この発明における係止突出部に相当し、上述した内底面４０ｄと平行となるように水平方向に突出して形成される。そして、後にも説明するが、この係止突出板部５５の先端５５ａが、上述した段部４４（４４ａ，４４ｂ）の下方の屋内側の内側面４０ｂに当接すると共に、ドア本体３０が持ち上げられた際に段部４４（４４ａ，４４ｂ）の下部４４ｃに係止可能となっている。つまり、通常時においては、この係止突出板部５５は、段部４４（４４ａ，４４ｂ）の下方に位置すると共に、その先端５５ａも、段部４４（４４ａ，４４ｂ）の下方に向いているように構成されている。
【００３０】
ガイド片５２は、直方体形状で形成されるガイド片本体５２ｂと、そのガイド片本体５２ｂから突き出すガイド片支持部５２ａとから構成される。前記ガイド片本体５２ｂは、ガイド溝４０の屋内側の内側面４０ｂとは平行に、且つ外面が屋内側の内側面４０ｂに対向して設けられている。また、前記ガイド片支持部５２ａは、次にも説明するが、樹脂部材５７に設けられた貫通部５７ａに挿通されて、端部が前記第１案内板部５４の貫通孔５４ａに挿通されている。なお、このガイド片５２のうち、前記ガイド溝４０の屋内側の内側面４０ｂと対向する第２外側面５２ｃが、この発明における第２案内部に相当し、前記ガイド溝４０の屋内側の内側面４０ｂとは平行に構成されている。
【００３１】
ガイド片５２は、樹脂部材５７を介して、前記第１案内板部５４のうちガイド溝４０の屋内側の内側面４０ｂと対向する面に取り付けられている。具体的には、樹脂部材５７の一側面が、第１案内板部５４のうちガイド溝４０の屋内側の内側面４０ｂと対向する面に接着されている。また、その樹脂部材５７の一側面とは反対側の他側面が、ガイド片５２と接着されている。この樹脂部材５７は、縮退可能な性質を有し、具体的には弾性を有する樹脂材料によって形成されている。また、この樹脂部材５７の中央には、ドア本体３０の厚さ方向Ｅに貫通された貫通部５７ａが設けられており、この貫通部５７ａに、ガイド片５２に設けられたガイド片支持部５２ａが挿し込まれ、僅かに樹脂部材５７から突出されたガイド片支持部５２ａの端部が、前記第１案内板部５４の貫通孔５４ａに挿し込まれている。
【００３２】
上述の樹脂部材５７は、縮退可能な樹脂であれば、このガイド機構１０に何ら問題なく用いることができる。また、この樹脂部材５７は、５０〜１００００ｇの力がかかった際に１〜５ｍｍ縮退するように、単位体積当たりの弾性率と、設けられる樹脂部材５７自体の体積とが設定されたものとなっている。このように、樹脂部材５７における単位体積当たり弾性率及び設けられる体積が設定された場合には、樹脂部材５７は、通常時の５０ｇ以下の外的負荷を受けることによっては弾性変形することがないので、ガイド溝４０内において、ガイド部材５０の幅（ドア本体３０の厚さ方向Ｅ）を好ましく保つことができて、ドア本体３０のスライド移動を好ましく案内させることができる。さらに、屋外（E２）から屋内（E１）へドア本体３０が押されるような非常時においては、１００００ｇ以上の外的負荷を受けることによって１〜５ｍｍ縮退するように弾性変形するので、ガイド溝４０の屋内側の内側面４０ｂに、上述した係止突出板部５５の先端５５ａを当接させることができる。なお、上述した樹脂部材５７が縮退する条件は、ドア本体３０の重量及び設置の条件を鑑みて、適宜に選択されることが望ましい。このように樹脂部材５７の弾性率を適宜に選択した場合には、ドア本体３０のスライド移動を好ましく案内することができる上、持ち上げを防止する所望の効果を得ることができる。
【００３３】
このように構成されたガイド機構１０は、次のような作用を奏することとなる。なお、図６（ａ）は通常時のガイド機構の側面図、図６（ｂ）は屋外から屋内に向かってドア本体が押された場合のガイド機構の側面図、図６（ｃ）はドア本体が持ち上げられた場合のガイド機構の側面図を示している。
【００３４】
ガイド機構１０は、通常時においては、図６（ａ）に示すようになっている。すなわち、ガイド部材本体５１とガイド片５２との間に介装される樹脂部材５７は、どこからも押圧されておらず、自然長を維持している。従って、第１外側面５４ｂ（第１案内部）を有する第１案内板部５４と、第２外側面５２ｃ（第２案内部）を有するガイド片５２とが、それぞれに対向するガイド溝４０の屋外側及び屋内側の内側面４０ｃ，４０ｂにぶつかることによってドア本体３０の揺れが規制されるものとなっている。これによって、ドア本体３０のスライド移動は、厚さ方向Eの揺れが防止された安定的なものとなる。
【００３５】
そして、例えば、屋外側（E２）から、ドア装置１が設置された建物Ｂ内に不法に侵入しようとする者が、ドア本体３０の下部３０ａとガイド溝４０との隙間にバール等の工具を差し込んでドア本体３０を外そうとした場合には、このドア本体３０は、その差し込まれたバールによって建物Ｂ内側に押される。そうすると、図６（ｂ）に示すように、ドア本体３０の下部３０ａに設けられたガイド部材５０も、ガイド溝内４０ａにおいて屋内側（E１）へ僅かに移動する。つまり、ガイド部材５０のうちガイド片５２が、ガイド溝４０の段部４４（屋内側の内側面４０ｂ側）に当接し、さらに、このガイド片５２の当接とバール等の差し込みによる押圧とによって、このガイド部材５０を構成する樹脂部材５７は縮退（弾性変形）する。このように、樹脂部材５７が縮退（弾性変形）した場合、図６（ｂ）に示すように、その下方に位置される係止突出板部５５が、前記段部４４の下方に位置されるガイド溝４０の屋内側の内側面４０ｂに当接する。
【００３６】
さらに、ここで、ドア本体３０の下部３０ａとガイド溝４０との隙間に差し込まれたバール等の工具によって、ドア本体３０を持ち上げようとした場合、図６（ｃ）に示すように、段部４４の下方の屋内側の内側面４０ｂに当接した係止突出板部５５の先端５５ａは、段部４４の下部４４ｃに係止される。つまり、ガイド部材５０が段部４４に係止されることによって、ドア本体の上方への移動は規制される。従って、ドア本体３０を持ち上げようとしても、このように上方への移動が規制されているので、ドア本体３０を外すことができないものとなる。
【００３７】
一方、屋内側（E１）からドア本体３０を外そうとした場合には、ガイド溝４０の屋内側の内側面４０ｂと異なり、ガイド溝４０の屋外側の内側面４０ｃには、段部も、この段部に係止される係止突出部も設けられていないので、ドア本体３０の上方への移動を規制することもない。従って、ドア本体３０を上方へ移動させることができる。つまり、ガイド溝４０からガイド部材５０を外部に露出させるまで持ち上げることができて、ドア本体３０を取り外すことができる。
【００３８】
また、このガイド機構１０にあっては、上述した係止突出板部５５の先端５５ａを係止させる段部４４が、ガイド溝内４０ａの屋内側の内側面４０ｂのうち、ガイド溝４０の深さ方向に複数設けられている。これによって、この係止突出板部５５が一の段部４４ａに係止されなくても、その上方に位置された他の段部４４ｂに係止されるものとなるので、ドア本体の上方への移動をより確実に規制する。つまり、ドア本体３０を持ち上げようとしても、ガイド部材５０と段部４４との係止がより確実なものとなってドア本体３０を外すことはできない。
【００３９】
以上より、このガイド機構１０を採用してドア装置１を構成した場合には、屋外側（E２）から強制的にドア本体３０が外されるのを防止したものとなっているので、このドア装置１が設置される建物B内に不法に侵入する犯罪を防止することに貢献し、さらには、ガイド溝４０にゴミ等が溜まってしまった場合や、ドア本体３０の取り付け時等において、屋内側（E１）からドア本体３０を持ち上げて外すことができる。
【００４０】
なお、この発明のガイド機構は、上述したような実施の形態に限定されるものではなく、この発明の趣旨を逸脱しない範囲において適宜に選択して構成することができる。例えば、上述の実施の形態においては、このドア本体３０の上方への移動の規制は、係止突出板部５５の先端５５ａと段部４４との係止によってなされるものであった。ここで、係止突出板部５５の先端５５ａと段部４４とを、互いに係止され易いように構成されるものであってもよい。すなわち、係止突出板部５５の先端５５ａを鍵状に構成されたフックで構成し、そして、係止される段部４４の下部４４ｃに、その鍵状に構成されたフックが引っ掛かりやすいようにされた凹状部が設けられるものであってもよい。このように構成した場合には、係止突出板部５５と段部との係止がより確実なものとなって好適である。
【００４１】
また、上述の実施の形態においては、係止突出板部５５と段部４４との係止は、バール等の工具を差し込んでからドア本体を持ち上げることによって、互いが係止されるように構成したが、これに限定されることなく、単にバール等の工具を差し込んでドア本体が押された場合に、係止突出板部５５と段部４４とが係止するように構成されるものであってもよい。つまり、その係止突出部５５の先端５５ａと、段部４４とが互いに嵌合すること等によって係止されるように構成してもよい。具体的にいえば、互いに嵌合可能な凹凸形状を、係止突出部５５の先端５５ａと段部４４とに設けて構成されるものであってもよい。このように構成した場合には、バール等の工具を差し込むことによってのみで、係止突出部５５の先端５５ａは、段部４４と嵌合することによって係止される。
さらに、上述の実施の形態においては、ドア本体３０の上方に駆動機構２０を備えてなるドア装置１において用いられるガイド機構１０について説明したが、この実施の形態に限定されることなく、適宜の箇所に駆動機構が設けられるものであれば何ら問題のないものとされる。
【図面の簡単な説明】
【００４２】
【図１】この発明のガイド機構が設けられた自動ドア装置の正面図である。
【図２】駆動機構の拡大正面図である。
【図３】ドア本体の下部のガイド機構を示す図１のＸ−Ｘ断面矢視図である。
【図４】図３のガイド機構をスライド移動両方向から見た拡大側面図である。
【図５】図３のガイド機構の上面図、図３のガイド機構の屋外から屋内に向いて見た側面図、図３のガイド機構の屋内から屋外に向いて見た側面図、図３のガイド機構の裏面図である。
【図６】通常時のガイド機構の側面図、屋外から屋内に向かってドア本体が押された場合のガイド機構の側面図、ドア本体が持ち上げられた場合のガイド機構の側面図である。
【符号の説明】
【００４３】
１    ドア装置
１０    ガイド機構
３０    ドア本体
４０    ガイド溝
４０ａ    ガイド溝内
４０ｂ    ガイド溝の屋内側の内側面
４０ｃ    ガイド溝の屋外側の内側面
４０ｄ    ガイド溝の内底面
４４    段部
４４ｃ    段部の下部
５０    ガイド部材
５１    ガイド部材本体
５２    ガイド片
５５    係止突出部
５５ａ    係止突出部の先端
５７    樹脂部材
Ｄ    ドア本体のスライド移動方向
Ｅ    ドア本体の厚さ方向
Ｆ    フロア
【図１】
2006336417.tif 000003
【図２】
2006336417.tif 000004
【図３】
2006336417.tif 000005
【図４】
2006336417.tif 000006
【図５】
2006336417.tif 000007
【図６】
2006336417.tif 000008